(57)【特許請求の範囲】
【請求項１】
ＦＭ電波を受信する受信部と、
ベースバンド信号へ、前記受信部により受信したＦＭ電波を変換する第１の変換部と、
該第１の変換部からのベースバンド信号を復調する復調部と、
復調部により復調された信号を復号する復号部と、
該復号部により復号された信号と、オーディオ信号とを合成する合成部と、
該合成部により合成された信号を符号化する符号化部と、
該符号化部により符号化された信号を変調する変調部と、
中間周波数へ、入力された信号を変換する第２の変換部と、
前記受信部により受信されたＦＭ電波と異なる周波数で、前記第２の変換部により中間周波数へ変換された信号を無線送信する送信部と、
前記第１の変換部からのベースバンド信号と、前記変調部からの信号との間で、前記第２の変換部へ入力される信号を切り替える切替部と
を有し、
前記切替部は、ガイダンス音声を再生しない場合には、前記第２の変換部へ、前記第１の変換部からのベースバンド信号が入力されるように切り替え、ガイダンス音声を再生する場合には、前記第２の変換部へ、前記変調部からの信号が入力されるように切り替え、
前記切替部により、前記第２の変換部へ、前記第１の変換部からのベースバンド信号が入力されるように切り替えられた場合、前記復調部、前記復号部、前記符号化部、及び前記変調部の少なくとも１つを停止させる、FM送受信装置。
【請求項２】
請求項１に記載のFM送受信装置において、
前記合成部により前記復号部により復号された信号と前記オーディオ信号とが合成された場合に、前記第２の変換部は、中間周波数へ、前記変調部からの信号を変換する、FM送受信装置。
【請求項３】
請求項１に記載のFM送受信装置において、
デジタル信号に、前記受信部により受信したＦＭ電波を変換するＡＤＣ
を有し、
前記第１の変換部は、ベースバンド信号へ、前記ＡＤＣからのデジタル信号を変換する、FM送受信装置。
【請求項４】
請求項１に記載のFM送受信装置において、
デジタル信号へ、アナログ信号を変換するＡＤＣと、
前記受信部により受信したＦＭ電波と、オーディオ信号との間で、前記ＡＤＣへ入力される信号を切り替える第１のスイッチと、
前記第１のスイッチにより前記ＦＭ電波へ切り替えられた場合には、前記第１の変換部へ、前記ＡＤＣからの出力信号を入力するように切り替え、前記第１のスイッチによりオーディオ信号へ切り替えられた場合には、前記合成部へ、前記ＡＤＣからの出力信号を入力するように切り替える第２のスイッチと
を有する、ＦＭ送受信装置。
【請求項５】
請求項１に記載のFM送受信装置において、
アナログ信号へ、前記第２の変換部からの信号を変換するＤＡＣ
を有し、
前記送信部は、前記ＤＡＣからの信号を無線送信する、FM送受信装置。
【請求項６】
請求項１ないし５のいずれか１項に記載のFM送受信装置において、
前記オーディオ信号には、ナビゲーション装置からの経路案内音声信号が含まれる、ＦＭ送受信装置。
【発明の詳細な説明】
【技術分野】
【０００１】
本発明は、送受信装置に関し、特に、FM送受信装置に関する。
【背景技術】
【０００２】
画面上に地図を表示して目的地まで誘導する装置として、主に車で使用されるナビゲーション装置がある。該ナビゲーション装置においては、メモリのデバイス化、表示装置の軽量化・高精細化により、小型・軽量化が進んでいる。そのため、ナビゲーション装置はポータブル化され、車載用として車に埋め込んで備え付けることなく、ダッシュボードの上などに設置し、簡単に取り外しができるようになった。
【０００３】
車に備え付けられるナビゲーション装置は、高価なこともあって、車上荒しにより盗難されるケースもあった。しかし、ポータブル化されたナビゲーション装置は持ち運びが簡単なため、車内に常設する必要がない。このため、ポータブル化されたナビゲーション装置は盗まれることもない。また、ポータブル化されたナビゲーション装置は、車外でも使用できるため、ナビゲーションとしての利用用途が広がっている。
【０００４】
車に備え付けられるナビゲーション装置は、CDプレーヤーやFMラジオなどを接続した専用オーディオ装置と専用の配線により接続可能である。このため、ナビゲーション装置のガイダンス音声とオーディオとのミキシングを簡単に行うことができる。これにより、大音量でオーディオを聞いていてもガイダンス音声を再生する時はオーディオのボリュームを下げてガイダンス音声を運転者に聞き取りやすくさせるといった音量制御も可能である。
【０００５】
一方、簡単に取り外しができるというメリットを享受するためには、車内専用オーディオ機器とケーブルで接続するなどの煩雑な作業は行わないことが好ましい。使い勝手がよくないためである。また、ナビゲーション装置と車内専用オーディオ機器を接続するために、車内にケーブルを這わせることは安全性においても好ましくない。
【０００６】
しかし、ポータブル型のナビゲーション装置に搭載されるスピーカーは、該ナビゲーション装置自体を小型にする必要があるため、小型にせざるを得ない。このため、該ナビゲーション装置に搭載されるスピーカーでは大音量にすることができない。従って、該ナビゲーション装置により出力される音声は、車内で聞くには車内騒音やオーディオによって聞き取りにくいものとなる。
【０００７】
そこで、FMトランスミッタが考えられている。FMトランスミッタでは、ナビゲーション装置と専用カーオーディオとは、ケーブルを使わずに無線で接続される。FMトランスミッタを使用することにより、ガイダンス音声を専用のカーオーディオで再生することができる。FMトランスミッタは、既に市販化されている。FMトランスミッタを使用することにより、他の方式の無線接続とは異なり新たに無線受信機を車載機側に設ける必要がない。このため、これまでのカーオーディオを使用し続けることができ、無線接続を手軽に実現できる。
【０００８】
しかし、ポータブル型のナビゲーション装置のガイダンス音声を出力するために該カーオーディオのFMチューナを占有してしまう場合がある。このような場合には、本来のFMラジオ放送を聴くことができなくなるため、ユーザーにとっては利便性の悪いものとなる。
【０００９】
例えば、車載ナビゲーション装置の接続方法として、FMチューナとFMトランスミッタとを使用し、接続ケーブルを無くして無線で接続する方式が提案されている。この方式では、音声案内情報を出力するナビゲーション手段と、受信アンテナを介してFM音声信号を受信するFM電波受信チューナ手段と、受信したFM音声情報と音声案内情報とを集中管理して選択する管理手段と、管理手段で選択された音声情報又は音声案内情報を無線送信するFM音声信号送信手段と、音声案内情報を出力するときは受信したFM音声情報の音量を抑制する音声ミュート手段とを備え、この装置と他の車載装置間の音声情報を無線接続し、音声案内情報は優先出力する。
【００１０】
例えば、該ナビゲーション装置は、FM電波で受信したラジオ放送等の音声信号とナビゲーション装置からの案内音声信号とを選択してFM電波で無線送信する。そして、カーオーディオでは、無線送信された音声を再生する。このようにすることにより、各車載装置間の接続を専用線によらず、無線の電波により接続する。 
【特許文献１】特開２０００−０６５５９０号公報
【発明の開示】
【発明が解決しようとする課題】
【００１１】
上述した装置は、FMチューナとFMトランスミッタとを有する。図１には、アナログミキシングでのFM送受信装置の一例が示される。アナログミキシングでは、アナログ信号のミキシングが行われる。例えば、FM電波で受信したラジオ放送等の音声信号と入力されたオーディオ信号とがアナログ信号でミキシングされる。図２には、デジタルミキシングでのFM送受信装置の一例が示される。デジタルミキシングでは、デジタル信号のミキシングが行われる。例えば、FM電波で受信したラジオ放送等の音声信号と入力されたオーディオ信号とがデジタル信号でミキシングされる。
【００１２】
図１及び図２に示されるFM送受信装置では、以下の処理が行われる。FM送受信装置は、FM電波で受信した信号をオーディオ信号に復調する。その後、FM送受信装置は、オーディオ信号に復調された信号を、FM変調して送信する。
【００１３】
ナビゲーションのガイダンス音声は、走行中に必要な場面で再生され、常に再生される音声ではない。寧ろ、ナビゲーションのガイダンス音声は、時折再生されると言っても過言ではない。
【００１４】
FM送受信装置は、ガイダンス音声を再生しない場合にも受信したFM電波で受信した信号をオーディオ信号に復調する。その後、FM送受信装置は、オーディオ信号に復調された信号を、FM変調して送信する。したがって、該処理のための電力を消費する。特に、ポータブル型のナビゲーション装置は、該ナビゲーション装置の利用用途から電源ケーブルに接続せずに充電池駆動できる方が好ましい。ポータブル型のナビゲーション装置において、低消費電力化は重要な要素である。
【００１５】
本発明は、このような状況に鑑みてなされたものであり、その目的は、消費電力を低減することができるFM送受信装置を提供することにある。
【課題を解決するための手段】
【００１６】
上記課題を解決するため、本発明のFM送受信装置は、
ＦＭ電波を受信する受信部と、
ベースバンド信号へ、前記受信部により受信したＦＭ電波を変換する第１の変換部と、
該第１の変換部からのベースバンド信号を復調する復調部と、
復調部により復調された信号を復号する復号部と、
該復号部により復号された信号と、オーディオ信号とを合成する合成部と、
該合成部により合成された信号を符号化する符号化部と、
該符号化部により符号化された信号を変調する変調部と、
中間周波数へ、入力された信号を変換する第２の変換部と、
前記受信部により受信されたＦＭ電波と異なる周波数で、前記第２の変換部により中間周波数へ変換された信号を無線送信する送信部と、
前記第１の変換部からのベースバンド信号と、前記変調部からの信号との間で、前記第２の変換部へ入力される信号を切り替える切替部と
を有し、
前記切替部は、ガイダンス音声を再生しない場合には、前記第２の変換部へ、前記第１の変換部からのベースバンド信号が入力されるように切り替え、ガイダンス音声を再生する場合には、前記第２の変換部へ、前記変調部からの信号が入力されるように切り替え、
前記切替部により、前記第２の変換部へ、前記第１の変換部からのベースバンド信号が入力されるように切り替えられた場合、前記復調部、前記復号部、前記符号化部、及び前記変調部の少なくとも１つを停止させる。
【発明の効果】
【００１７】
本発明の実施例によれば、消費電力を低減することができるFM送受信装置を実現できる。
【発明を実施するための最良の形態】
【００１８】
次に、本発明を実施するための最良の形態を、以下の実施例に基づき図面を参照しつつ説明する。
なお、実施例を説明するための全図において、同一機能を有するものは同一符号を用い、繰り返しの説明は省略する。
【００１９】
本実施例に係るFM送受信装置１００は、FMチューナを有する。また、本実施例に係るFM送受信装置１００は、FMトランスミッタを有する。本実施例に係るFM送受信装置１００は、ナビの経路案内音声と受信したFM放送音声とをミキシングして、受信チャネルとは異なるチャネル周波数のFM電波で送信する。本実施例に係るFM送受信装置１００は、ポータブルナビゲーション装置等とともに使用するようにしてもよい。
【００２０】
上述したように、本実施例に係るFM送受信装置１００は、ガイダンス音声を再生しない場合には受信したFM電波を異なるチャネル周波数で再送信する。そのようにすることにより、FM復調とFM変調の処理が不要となり低消費電力化を実現できる。また、受信したFM信号を復調することなくFM変調波のまま周波数変更を行うことにより、FM復調の際及びステレオ復号化処理の際における信号劣化がなく、FM放送波を再送できる。
【００２１】
以上のように、ガイダンス音声を再生しない場合には、低消費電力化及びFM放送波の品質保持の面でも、受信したFM電波をFM復調しオーディオ信号まで復調せずに、FM変調波のままチャネル周波数変換する方が好ましい。以下、受信したFM電波をFM復調しオーディオ信号まで復調せずに、FM変調波のままチャネル周波数変換する処理をFM再送信モードと呼ぶ。
【００２２】
本実施例に係るFM送受信装置１００について、図３を参照して説明する。
【００２３】
本実施例に係るFM送受信装置１００は、FMチューナとFMトランスミッタとを有する。
【００２４】
FMチューナは、受信部(RF-RX)１０２と、A/D変換部(ADC)１０４と、デジタル−周波数変換受信部(Digital  Freq  Converter  RX)１０６と、チャネルフィルタ(Channel  Filter)１０８と、FM復調部(FM  Demodulation)１１０と、ステレオ復号部(Stereo  Decoder)１１２と、D/A変換部(DAC)１３０とを有する。
【００２５】
FMトランスミッタは、A/D変換部(ADC)１１４と、デジタルオーディオ入力部(Digital  Audio  Input)１１６と、入力選択部(Input  Selecter)１１８と、ミキサー(Mixer)１２０と、ステレオ符号化部(Stereo  Encoder)１２２と、FM変調部(FM  Modulation)１２４と、切替部１２６と、デジタル−周波数変換送信部(Digital  Freq  Converter  TX)１２８と、D/A変換部(DAC)１３２と、送信部(RF-TX)１３４とを有する。
【００２６】
受信部１０２は、FM電波を受信するためのアンテナにより受信されたRF信号を中間周波数(IF:  Intermediate  Frequency)信号にダウンコンバートする。受信部１０２は、IF信号をA/D変換部１０４に入力する。
【００２７】
A/D変換部１０４は、受信部１０２により入力されたIF信号をデジタルデータに変換する。A/D変換部１０４は、デジタルデータに変換されたIF信号をデジタル−周波数変換受信部１０６に入力する。
【００２８】
デジタル−周波数変換受信部１０６は、デジタルデータに変換されたIF信号をベースバンド(BB:  Base  Band)信号に変換する。デジタル−周波数変換受信部１０６は、ベースバンド信号に変換されたデジタルデータに変換されたIF信号（以下、BB信号に変換されたFM変調信号と呼ぶ）をチャネルフィルタ１０８に入力する。
【００２９】
チャネルフィルタ１０８は、BB信号に変換されたFM変調信号から隣接チャネル波を除去する。チャネルフィルタ１０８は、隣接チャネル波が除去されたBB信号に変換されたFM変調信号をFM復調部１１０又はデジタル−周波数変換送信部１２８に入力する。
【００３０】
FM復調部１１０は、隣接チャネル波が除去されたBB信号に変換されたFM変調信号をFM復調する。FM復調部１１０は、FM復調された隣接チャネル波が除去されたBB信号に変換されたFM変調信号（以下、FM復調されたデジタルオーディオ信号）をステレオ復号部１１２に入力する。
【００３１】
ステレオ復号部１１２は、FM復調されたデジタルオーディオ信号をステレオ分離する。例えば、ステレオ復号部１１２は、サイド情報に基づいて、FM復調されたデジタルオーディオ信号に対して、ＭＳステレオ復号化とＩＳステレオ復号化とを実行して、元のステレオ信号を復元する。ステレオ復号部１１２は、ステレオ分離されたFM復調されたデジタルオーディオ信号をD/A変換部１３０及びミキサー１２０に入力する。
【００３２】
D/A変換部１３０は、ステレオ復号部１１２により入力されたステレオ分離されたFM復調されたデジタルオーディオ信号をアナログ変換する。
【００３３】
A/D変換部１１４は、入力されたアナログオーディオ信号をデジタルオーディオ信号に変換する。A/D変換部１１４は、デジタルオーディオ信号を入力選択部１１８に入力する。
【００３４】
デジタルオーディオ入力部１１６は、外部からデジタルオーディオ信号を入力する。
【００３５】
入力選択部１１８は、A/D変換部１１４により入力されたデジタルオーディオ信号及びデジタルオーディオ入力部１１６により入力されたデジタルオーディオ信号のうちの一方を選択する。入力選択部１１８は、選択したデジタルオーディオ信号をミキサー１２０に入力する。
【００３６】
ミキサー１２０は、ステレオ復号部１１２により入力されたステレオ分離されたFM復調されたデジタルオーディオ信号と、入力選択部１１８により入力されたデジタルオーディオ信号とをミキシングする。ミキサー１２０は、ミキシングした信号をステレオ符号化部１２２に入力する。
【００３７】
ステレオ符号化部１２２は、入力された信号をステレオ符号化する。ステレオ符号化部１２２は、ステレオ符号化された信号をFM変調部１２４に入力する。ステレオ符号化は、入力されるデジタルオーディオ信号が２チャンネルあるいはマルチチャンネルの双対となるステレオ信号である場合に用いられるようにしてもよい。例えば、ステレオ符号化として、ミッド／サイド（Ｍ／Ｓ）ステレオ符号化とインテンシティステレオ符号化の２つがある。
【００３８】
Ｍ／Ｓステレオ符号化は、ステレオ信号の和で求められるミッド信号と差で求められるサイド信号を生成し、ステレオ信号の代わりにミッド信号とサイド信号を符号化する。これにより、ステレオ信号が同符号で類似する場合にはサイド信号の振幅が、逆に異符号で類似する場合にはミッド信号の振幅が小さくなるので符号化時の量子化ビット数を小さくすることができ、ステレオ信号を符号化する場合に比べて符号化効率を改善することができる。
【００３９】
一方、インテンシティステレオ符号化はステレオ信号から統合信号を生成し、符号化する。符号化された統合信号は、左右の符号と振幅を表す補助情報と共に扱われる場合がある。これにより、統合信号を符号化するのでステレオ信号を符号化する場合に比べて大幅に符号化効率を改善することができる。
【００４０】
FM変調部１２４は、ステレオ符号化された信号に対してFM変調を行う。FM変調部１２４は、FM変調された信号をデジタル−周波数変換送信部１２８に入力する。
【００４１】
切替部１２６は、デジタル−周波数変換送信部１２８の接続先をチャネルフィルタ１０８とFM変調部１２４との間で切り替える。
【００４２】
デジタル−周波数変換送信部１２８は、FM変調部１２４においてFM変調された信号を送信IF周波数に変換する。デジタル−周波数変換送信部１２８は、送信IF周波数に変換されたFM変調された信号をD/A変換部１３２に入力する。
【００４３】
D/A変換部１３２は、送信IF周波数に変換されたFM変調された信号をアナログIF-送信信号に変換する。D/A変換部１３２は、アナログIF-送信信号を送信部１３４に入力する。
【００４４】
送信部１３４は、入力されたアナログIF-送信信号を、RF-TX信号にアップコンバートする。送信部１３４は、受信部１０２において受信されたFM電波とは異なる無線周波数にアップコンバートする。
【００４５】
送信アンテナは、送信RF信号を輻射する。
【００４６】
本実施例に係るFM送受信装置１００では、切替部１２６は、ナビゲーションのガイダンス音声を再生しない場合には、デジタル−周波数変換送信部１２８とチャネルフィルタ１０８とを接続する。この場合、以下の処理が行われる。受信されたFM放送波は、受信部１０２においてIF信号にダウンコンバートされる。そして、該IF信号は、デジタル処理され、デジタル−周波数受信変換受信部１０６においてBB信号まで周波数変換される。そして、チャネルフィルタ１０８により隣接チャネル波が除去され、デジタル−周波数変換送信部１２８において、送信IF周波数に変換する。そして、受信用FMチャネル周波数とは別の異なる送信用チャネル周波数でRF送信される。このようにすることにより、FM復調部１１０、ステレオ復号部１１２、ステレオ符号化部１２２及びFM変調部１２４を停止させることができる。このため、消費電力を低減することができる。
【００４７】
また、切替部１２６は、ナビゲーションのガイダンス音声を再生する場合には、デジタル−周波数変換送信部１２８とFM変調部１２４とを接続する。この場合以下の処理が行われる。外部から入力されるガイダンス音声などのオーディオ信号をFM変調する場合は、直接FM送信動作から切り替えて、FM復調部１１０、ステレオ復号部１１２、ステレオ符号化部１２２及びFM変調部１２４を動作させる。そして、ステレオ復号部１１２から出力されるオーディオ信号と外部入力オーディオ信号とがミキサー１２０においてミキシングされる。ミキサー１２０から出力されるオーディオ信号はFM変調され、受信用FMチャネル周波数とは別の異なる送信用チャネル周波数でRF送信される。このようにすることにより、ガイダンス音声を再生する場合のみFM放送波とミキシングすることが可能となる。
（第２の実施例）
本実施例に係るFM送受信装置１００について、図４を参照して説明する。
【００４８】
本実施例に係るFM送受信装置１００は、図３を参照して説明したFM送受信装置において、A/D変換部１０４及び１１４のいずれか一方とし、該一方のA/D変換部１０４に切替部(SW:  Switch)１３６及び１３８を接続したものである。また、本実施例に係るFM送受信装置１００は、D/A変換部１３０及び１３２のいずれか一方とし、該一方のD/A変換部１３０に切替部１４０及び１４２を接続したものである。
【００４９】
切替部１３６と切替部１３８とは連携して動作する。例えば、切替部１３６に対して受信部１０２によりIF信号が入力された場合には、切替部１３８はデジタル−周波数変換受信部１０６に切り替える。また、例えば、切替部１３６に対してアナログオーディオ信号が入力された場合には、切替部１３８は入力選択部１１８に切り替える。
【００５０】
切替部１４０と切替部１４２とは連携して動作する。例えば、切替部１４２に対してステレオ復号部１１２によりステレオ分離されたFM復調されたデジタルオーディオ信号が入力された場合には、切替部１４０はアナログオーディオ信号を出力する。また、例えば、切替部１４２に対してデジタル−周波数変換送信部１２８により、送信IF周波数に変換されたFM変調された信号が入力された場合には、切替部１４０は送信部１３４に切り替える。
【００５１】
A/D変換部及びD/A変換部をそれぞれ１つとすることにより、回路規模を縮小することができる。また、A/D変換部及びD/A変換部をそれぞれ１つとすることにより、低消費電力化を図ることが可能となる。本実施例に係るFM送受信装置１００は、FMチューナとFMトランスミッタとを同時に独立に使用することはできないが、実際には独立に使用する用途は少ないので、問題は無い。
【００５２】
本実施例に係るFM送受信装置１００は、外部オーディオ入力としてデジタルオーディオ入力部１１６を有しているのでFMチューナとFMトランスミッタの両方に対応することが可能である。
【００５３】
本実施例に係るFM送受信装置１００において、FMチューナとして機能する場合について、図５を参照して説明する。以下、FM送受信装置１００が１つのA/D変換部及びD/A変換部を有する場合について説明するが、図３を参照して説明したような２つのA/D変換部及びD/A変換部を有する場合にも適用できる。図５において、破線により示される機能ブロックはFMチューナとして機能する場合には動作させないブロックを示す。本実施例によれば、FMチューナとして機能する場合には、デジタルオーディオ入力部１１６と、入力選択部１１８と、ミキサー１２０と、ステレオ符号化部１２２と、FM変調部１２４と、切替部１２６と、デジタル−周波数変換送信部１２８は動作しないため、消費電力を低減することができる。
【００５４】
本実施例に係るFM送受信装置１００において、FMトランスミッタとして機能する場合について、図６を参照して説明する。図６において、破線により示される機能ブロックはFMトランスミッタとして機能する場合には動作させないブロックを示す。本実施例によれば、FMトランスミッタとして機能する場合には、受信部１０２と、デジタル−周波数変換受信部１０６と、チャネルフィルタ１０８と、FM復調部１１０と、ステレオ復号部１１２は動作しないため、消費電力を低減することができる。
【００５５】
本実施例に係るFM送受信装置１００では、FMトランスミッタとFMチューナはそれぞれ単独に動作可能である。
本実施例に係るFM送受信装置１００における他の動作について、図７を参照して説明する。ここでは、FM放送波を受信して、受信チャネル周波数とは異なる送信チャネル周波数で送信する場合の動作について説明する。
【００５６】
本実施例に係るFM送受信装置１００は、ナビゲーションのガイダンス音声を再生しない場合には、FM放送波などのFM電波を受信して再送する。ここでは、FM受信波をBB信号まで周波数変換を行うのみでFM復調、ステレオデコード処理などは行わない。また、FM復調部も動作していない。
【００５７】
ナビゲーションのガイダンス音声は外部入力オーディオとして入力される。しかし、ガイダンス音声が再生される時間のナビゲーション使用時間に対する割合は小さい。このため、FM送受信装置１００は、実際にはほとんどFM再送信モードで動作している。FM放送波などのFM電波を受信して再送する場合に、FM復調、ステレオデコード処理、FM復調処理を行わないことにより、消費電力を低減できる。
【００５８】
本実施例に係るFM送受信装置１００における他の動作について、図８を参照して説明する。図８において、破線により示されるブロックは動作していないブロックを示す。ここでは、FM送信モードから切り替えて、ガイダンス音声再生のために外部入力オーディオ信号をFMトランスミッタ機能で送信する場合の動作について説明する。
【００５９】
図８によれば、FM放送を受信中にガイダンス音声を再生する場合には、切替部１２６は、デジタル−周波数変換送信部１２８とFM復調部１２４とを接続するように切り替える。この場合は、外部オーディオ入力として、アナログとデジタルの両方に対応できる。
【００６０】
本実施例に係るFM送受信装置１００の他の動作について、図９を参照して説明する。図９において、破線により示されるブロックは動作していない機能ブロックを示す。図８に示したFM送受信装置１００では、ガイダンス音声再生中はFM放送波の内容が途切れる。そこで、ガイダンス音声再生中はFM復調部１２４、ステレオ復号部１２２を起動させて、ガイダンス音声とFM放送音声をミキシングしてFM変調送信する。この場合、A/D変換部が１つであるとアナログオーディオ入力が使用できないので、デジタルオーディオ入力を使用する。
【００６１】
なお、通常のFM再送信モードからガイダンス音声再生時への切替時にFM復調からステレオデコード、ステレオエンコード、FM変調などの処理による遅延時間が発生するので、再生時間を合わせる必要があるが、チャネルフィルタからデジタル−周波数変換送信部１２８への入力経路に遅延バッファを設けておけば対応が可能である。
【００６２】
本実施例よれば、ガイダンス音声などの外部オーディオ入力が無い通常時は、FM受信波に対してFM復調処理を行わずに、異なるチャネル周波数に周波数変換することができる。
【００６３】
本発明によれば、ガイダンス音声をFMトランスミッタで送信するポータブルナビゲーション機器などで、通常時にFM放送波を再送信する場合に低消費電力化を実現することができる。
【００６４】
本実施例に係るFM送受信装置は、FM送受信装置を使用した機器で、FM受信した信号を別の周波数で再送信する場合に適用できる。 
【図面の簡単な説明】
【００６５】
【図１】FM送受信装置を示す部分ブロック図である。
【図２】FM送受信装置を示す部分ブロック図である。
【図３】一実施例に係るFM送受信装置を示す部分ブロック図である。
【図４】一実施例に係るFM送受信装置を示す部分ブロック図である。
【図５】一実施例に係るFM送受信装置の動作を示す説明図である。
【図６】一実施例に係るFM送受信装置の動作を示す説明図である。
【図７】一実施例に係るFM送受信装置の動作を示す説明図である。
【図８】一実施例に係るFM送受信装置の動作を示す説明図である。
【図９】一実施例に係るFM送受信装置の動作を示す説明図である。
【符号の説明】
【００６６】
１００  FM送受信装置
１０２  受信部(RF-RX)
１０４  A/D変換部(ADC)
１０６  デジタル−周波数変換受信部(Digital  Freq  Converter  RX)
１０８  チャネルフィルタ(Channel  Filter)
１１０  FM復調部(FM  Demodulation)
１１２  ステレオ復号部(Stereo  Decoder)
１１４  A/D変換部(ADC)
１１６  デジタルオーディオ入力部(Digital  Audio  Input)
１１８  入力選択部(Input  Selecter)
１２０  ミキサー(Mixer)
１２２  ステレオ符号化部(Stereo  Encoder) 
１２４  FM変調部(FM  Modulation)
１２６  切替部
１２８  デジタル−周波数変換送信部(Digital  Freq  Converter  TX)
１３０  D/A変換部(DAC)
１３２  D/A変換部(DAC)
１３４  送信部(RF-TX)
１３６、１３８、１４０、１４２  切替部
【図１】
0005132431.tif 000002
【図２】
0005132431.tif 000003
【図３】
0005132431.tif 000004
【図４】
0005132431.tif 000005
【図５】
0005132431.tif 000006
【図６】
0005132431.tif 000007
【図７】
0005132431.tif 000008
【図８】
0005132431.tif 000009
【図９】
0005132431.tif 000010